(57)【要約】【課題】  清掃用具の拭き取り部に良好な抗菌・殺菌力を付与し、拭き取り清掃の際に清掃対象を滅菌し、かつ清掃作業時に付着した微生物の増殖を防止できること。【解決手段】  多数のコード糸２、２…を下端の取付基部３に取り付けた一般的な形状のモップ１であり、コード糸２、２…の内の一部のそれにナノ銀を練り込んだものを採用した。ナノ銀は、シリカに硫黄と銀とを化合させた錯化合物であり、５０nm程度のシリカ粒子に硫黄を介して１nm程度のサイズの銀粒子を結合させたものである。【選択図】  図１
0003115048.tif 000002
【実用新案登録請求の範囲】
【請求項１】
ナノ銀を施した要素を含めて構成した清掃用具の拭き取り部。
【請求項２】
前記清掃用具がモップである請求項１の清掃用具の拭き取り部。
【請求項３】
前記清掃用具がタオルである請求項１の清掃用具の拭き取り部。
【請求項４】
前記清掃用具が雑巾である請求項１の清掃用具の拭き取り部。
【請求項５】
前記要素がコード糸であり、該コード糸に練り込むことによってナノ銀を施し、かつ該コード糸を含む一種以上のコード糸でモップの拭き取り部材に構成した請求項２の清掃用具の拭き取り部。
【請求項６】
前記要素が糸であり、該糸に練り込むことによってナノ銀を施し、該糸を含む一種以上の糸で織った布でタオルの拭き取り部材に構成した請求項３の清掃用具の拭き取り部。
【請求項７】
前記要素が糸であり、該糸に練り込むことによってナノ銀を施し、該糸を含む一種以上の糸で織った布で雑巾の拭き取り部材に構成した請求項４の清掃用具の拭き取り部。
【考案の詳細な説明】
【技術分野】
【０００１】
本考案は、タオル、雑巾、モップなどの清掃用具の拭き取り部に関するものである。
【背景技術】
【０００２】
タオル、雑巾及びモップ等の拭き取り部に関しては、使い勝手の観点から種々のタイプのものが提供されている。例えば、モップの拭き取り部にも、柄の最下部の円盤状の基部に多数のパイルを取り付けたもの、柄の最下部の四辺形板状の基部に多数のパイルを取り付けたもの、柄の最下部の角型棒状部材に多数のパイルを垂下させたもの、或いは、柄の最下部の四辺形板状の基部に拭き取り用シートを被覆状に取り付けたものなどである。
【０００３】
これらの清掃用具は、床やテーブル上など清掃対象をその拭き取り部で拭くことによって清掃対象の汚れを拭き取り、清掃を行うものであるが、その清掃過程で、清掃対象を滅菌することができれば好ましく、更に拭き取り部に付着した細菌や真菌その他の雑菌若しくは黴類等の微生物を消滅させることができればより好ましい。このような清掃用具の拭き取り部は、適宜、洗浄して、衛生状態を良好に保持すべくするものであるが、洗浄によって上記微生物及び汚れを完全に除去することは困難であり、丁寧に洗浄したところで、かなりのそれらが残留してしまうのが実情である。そのため洗浄して次の清掃作業に用いるまで保管する間に、気温その他の条件とも相まって、僅かに残留する微生物の活動により、同様に僅かに残留する汚れ成分が分解され、異臭が発生するようなことになっている例もよく見られる。
【０００４】
このような清掃用具は、たとえ、使用開始時に再度洗浄したとしても若干の微生物の残留があり、次に清掃作業に使用する際に、清掃対象にこれらの微生物による汚染を拡大させてしまう虞もある。
【０００５】
そこで、これらの清掃用具の中には、その拭き取り部に抗菌性乃至殺菌性を持たせようとしたものも提案されている。
【０００６】
その第１例は、５〜２０ppmの二酸化塩素（ＣｌＯ2）水溶液を含浸させた雑巾と、この雑巾を密閉状態で収納するパックとを備えた使い捨て雑巾である（特許文献１）。この使い捨て雑巾は、二酸化塩素水溶液が適当な殺菌力を有し、例えば、病院等でベッドの手摺りやテーブルその他の拭き取り清掃に使用した場合は効果的にブドウ球菌等の細菌類を消滅除去させ得るため、院内が清潔に保持し得、問題となっている院内感染のおそれを低下させることができる。その意味では優れたものであるが、滅菌剤の利用の仕方からも、文字通り、使い捨てでしか使用できないものであり、資源の有効利用の観点からは好ましいとは云えない。
【０００７】
第２例は、モップの払拭体に難水溶性の抗菌剤を０．１〜５０重量％含有させてなり、該難水溶性の抗菌剤がビグアニド化合物の難水溶性塩類又はパラオキシ安息香酸のエステル類であり、これらを払拭体を構成する合成繊維に練り込んで構成したモップである（特許文献２）。従ってこのモップは、例えば、これを、病院や老人ホーム等の病室乃至は廊下等で、その拭き掃除に用いた場合には、前記第１例と異なり、繰り返し使用ができる利点があるが、やはりこの抗菌剤は、これを練り込んだ払拭体の素材である合成繊維から放出されることによって効果を発揮するものであり、遠からず効果を失うものと思われる。
【０００８】
第３例は、清掃部に、半導体粉末及び金属粉末を組み合わせた光触媒と、光触媒作用によって処理する対象物を吸着するための吸着材料とを配した清掃用モップである（特許文献３）。以上のように、この清掃用モップは、光触媒作用を利用するものであり、光の照射を受けうる表面以外の部位ではその有機物分解作用は機能しない。更にこの第３例では、塗料を用いて清掃部のモップ布部に半導体粉末及び金属粉末を定着させているので、光表面への露出量が少なく、光触媒による有機物分解作用が一層限定的なものになる。この第３例の文献中には、光照射を全く受けなくてもほぼ同様の光触媒作用を発揮することができる旨の記載があるが、これは何かの誤解に基づくものと思われる。前記金属として０．０５〜０．１μm程度の銀粉末が採用されることもあり、これによる作用が若干働くことは認められる。
【０００９】
【特許文献１】実開平０６−７５５０１号公開公報
【特許文献２】特開平０８−１５４８８２号公開公報
【特許文献３】特開２００２−１１９４５４号公開公報
【考案の開示】
【考案が解決しようとする課題】
【００１０】
本考案は、タオル、雑巾、モップ等の清掃用具の拭き取り部に良好な抗菌・殺菌力を付与し、種々の清掃対象に対する拭き取り清掃の際に、清掃対象を滅菌することが可能であり、更にこの清掃作業時に付着した細菌や真菌、或いはウイルス、若しくは黴類等の微生物を消滅させることが可能であり、それ故、清掃用具をその拭き取り部を洗浄した上で保管した場合に異臭が発生することもない清掃用具の拭き取り部を提供することを解決の課題とする。
【課題を解決するための手段】
【００１１】
本考案の１は、ナノ銀を施した要素を含めて構成した清掃用具の拭き取り部である。
【００１２】
本考案の２は、本考案の１の清掃用具の拭き取り部に於いて、前記清掃用具をモップとしたものである。
【００１３】
本考案の３は、本考案の清掃用具の拭き取り部に於いて、前記清掃用具をタオルとしたものである。
【００１４】
本考案の４は、本考案の１の清掃用具の拭き取り部に於いて、前記清掃用具を雑巾としたものである。
【００１５】
本考案の５は、本考案の２の清掃用具の拭き取り部に於いて、前記要素がコード糸であり、該コード糸に練り込むことによってナノ銀を施し、かつ該コード糸を含む一種以上のコード糸でモップの拭き取り部材に構成したものである。
【００１６】
本考案の６は、本考案の３の清掃用具の拭き取り部に於いて、前記要素が糸であり、該糸に練り込むことによってナノ銀を施し、該糸を含む一種以上の糸で織った布でタオルの拭き取り部材に構成したものである。
【００１７】
本考案の７は、本考案の４の清掃用具の拭き取り部に於いて、前記要素が糸であり、該糸に練り込むことによってナノ銀を施し、該糸を含む一種以上の糸で織った布で雑巾の拭き取り部材に構成したものである。
【考案の効果】
【００１８】
本考案の１の清掃用具の拭き取り部によれば、その拭き取り部で拭き取り対象の拭き掃除を行うことにより、その汚れを除去すると同時に除菌を行うことも可能であり、更に清掃作業後に、それらの拭き取り部を洗浄して次の清掃まで保管する場合にも残留することのある微生物を殺菌等により除去し、異臭の発生等の虞もない。
【００１９】
本考案の２清掃用具の拭き取り部によれば、前記清掃用具をモップとしたので、例えば、病院や老人ホーム等で、室内の床や廊下等の拭き掃除を行う場合に、その拭き取り部で汚れの除去と同時に除菌を行うことも可能であり、更に清掃作業後に、それらの拭き取り部を洗浄して次の清掃まで保管した場合に残留している微生物を殺菌除去することも可能であり、異臭の発生等の虞もない。
【００２０】
本考案の３の清掃用具の拭き取り部によれば、前記清掃用具をタオルとしたので、これを用いて身体の汗を拭き取ったり、入浴後の水分を除去したり、身体に於ける種々の汚れの除去に有用に用いることができ、その際に、身体に付着していることのある種々の菌類その他の微生物の除去をも同時に行い得られ、かつ使用後にも洗浄して保管した場合に、残留することのある微生物類を殺菌除去することが可能であり、異臭の発生の虞もない。
【００２１】
本考案の４の清掃用具の拭き取り部によれば、前記清掃用具を雑巾としたので、これを用いてテーブルや机の上を拭き掃除し、廊下や階段の手摺り、或いはベッドの手摺り等の拭き掃除をした場合、それらに付着していた汚れと同時に微生物類も除去することができる。またこれを使用後に洗浄して保管した場合に、残留することのある微生物類を殺菌除去することが可能であり、異臭の発生の虞もない。
【００２２】
本考案の５の清掃用具の拭き取り部によれば、モップの拭き取り部を、ナノ銀を練り込んだコード糸等によって構成したため、ナノ銀による抗菌乃至殺菌作用を効果的に発揮し得ることとなると共に、長期間の使用によってもその作用乃至機能の容易に低下しないものとなる。
【００２３】
本考案の６の清掃用具の拭き取り部によれば、タオルを、ナノ銀を練り込んだ糸等で織った布で構成したため、ナノ銀による抗菌乃至殺菌作用を効果的に発揮し得ることとなると共に、長期間の使用によってもその作用乃至機能の容易に低下しないものとなる。
【００２４】
本考案の７の清掃用具の拭き取り部によれば、雑巾を、ナノ銀を練り込んだ糸等で織った布で構成したため、ナノ銀による抗菌乃至殺菌作用を効果的に発揮し得ることとなると共に、長期間の使用によってもその作用乃至機能の容易に低下しないものとなる。
【考案を実施するための最良の形態】
【００２５】
本考案は、ナノ銀を施した要素を含めて構成した清掃用具の拭き取り部である。
【００２６】
前記清掃用具としては、モップ、タオル又は雑巾その他、拭き取り部を有するそれのいずれもが対象となる。
【００２７】
前記要素は、清掃用具の拭き取り部を構成する構成材料であり、例えば、清掃用具がモップであり、該モップがコード糸を用いて構成した拭き取り部を有するものであれば、該コード糸を要素と云うことができる。該モップが布で構成した拭き取り部を有するものである場合は、該布又は布を構成する糸を前記要素と云うことができる。清掃用具がタオル又は雑巾であれば、これらを構成する布又は布を構成する糸を要素と云うことができる。
【００２８】
前記ナノ銀のこれらの要素への施し方は種々の態様で自由に行うことができる。例えば、前記コード糸や糸の場合は、これらに練り込むことによって施すことができる。前記モップの拭き取り部は、このようにナノ銀を練り込んだコード糸のみ又はナノ銀を練り込んだコード糸と練り込んでいないコード糸とを組み合わせて構成することができる。タオルや雑巾の場合は、ナノ銀を練り込んだ糸のみ又は練り込んだ糸と練り込んでない糸とで織った布を用いて構成することができる。またはナノ銀を施した布とそうでない布とによって構成することができる。
【００２９】
前記ナノ銀は、本考案では、ナノオーダーのサイズに形成された銀粒子を云うものであり、銀粒子単体、銀と硫黄との化合物、或いはシリカに硫黄と銀とを化合させた錯化合物のいずれかの態様のそれを採用することができる。
【００３０】
該銀粒子は、１〜３００nmのサイズの粒子であり、１〜１０nmのそれがより好ましい。このような銀粒子は、このような微少粒子に構成されることにより、表面積を拡大し、その本来有する抗菌力を最大限に高めることができる。
【００３１】
前記銀と硫黄との化合物は、概ね１０nmの銀粒子に多数の硫黄を結合させたものであるが、銀粒子のみによる場合の抗菌性を維持しながら、銀粒子のみによる場合の抗黴性の不足を補ったものである。
【００３２】
前記シリカに硫黄と銀とを化合させた錯化合物は、５０nm又は２nm程度のシリカ粒子に硫黄を介して１nm程度のサイズの銀粒子を結合したものであり、抗菌性及び抗黴性を一層向上させたものである。
【００３３】
前記のように、ナノ銀はいずれを採用することも可能であるが、最後に示した錯化合物を採用するのが最も好ましい。
このようなナノ銀のバクテリアやウイルスに対する抗菌乃至滅菌作用は、これらの細胞に接触して局在することとなる銀の陽電荷の影響で、細胞の電子が移動し、電子分布の不均衡が生じ、細胞壁が破壊されることを通じて行われる。またバクテリア、ウイルス及び黴のような原核生物は活性酸素によって新陳代謝を起こすものであるが、銀がこれらの原核生物で発見される活性酸素に吸着されることにより、原核生物の新陳代謝を通じた再生乃至繁殖を防止するととなる。更には、バクテリアやウイルス表面に存在する−Ｓ−Ｈラジカルグループと反応してＲ−Ｓ−Ｓ−Ｒ結合を作ってそれらの呼吸と電子移動を阻んでこれらの微生物を破壊して殺すように作用する。
【００３４】
従って本考案の清掃用具の拭き取り部によれば、その拭き取り部で拭き取り対象の拭き掃除を行うことにより、その汚れを除去すると同時に除菌を行うことも可能であり、更に清掃作業後に、それらの拭き取り部を洗浄して次の清掃まで保管する場合にも残留することのある微生物を殺菌等により除去し、異臭の発生等の虞もない。
【００３５】
そのため、前記のように、前記清掃用具をモップとした場合は、例えば、病院や老人ホーム等で、室内の床や廊下等の拭き掃除行うと、院内感染のおそれ等を軽減することができる。前記清掃用具をタオルとした場合は、これを用いて身体の汗を拭き取ったり、入浴後の水分を除去したり、身体に於ける種々の汚れの除去に有用に用いると、その際に、身体に付着していることのある種々の菌類その他の微生物の除去をも同時に行い得られ、健康増進効果に資することができる。また前記清掃用具を雑巾とした場合は、これを用いてテーブルや机の上を拭き掃除し、廊下や階段の手摺り、或いはベッドの手摺り等の拭き掃除をすると、それらに付着していた汚れと同時に微生物類も除去することができ、病院等に於ける院内感染のおそれ等を低下させることができる。
【００３６】
更に、前記清掃用具をモップとし、その拭き取り部をナノ銀を練り込んだコード糸等によって構成した場合は、定着性が良好であり、ナノ銀による抗菌乃至殺菌作用は長期間の使用によっても容易に低下しないものとなる。
【００３７】
また前記清掃用具をタオル又は雑巾とし、これらを、ナノ銀を練り込んだ糸等で織った布で構成した場合は、ナノ銀による抗菌乃至殺菌作用は、定着性が良好であり、長期間の使用によっても容易に低下しないものとなる。
【実施例１】
【００３８】
この実施例１は、モップ１に適用した例であり、図１に示すように、多数のコード糸２、２…を下端の取付基部３に所定の取付方で取り付けた一般的なそれであり、コード糸２、２…の内の一部のそれにナノ銀を練り込んだものを採用した。なお図中４は柄である。
【００３９】
一部のコード糸２、２…に採用したナノ銀は、シリカに硫黄と銀とを化合させた錯化合物であり、５０nm程度のシリカ粒子に硫黄を介して１nm程度のサイズの銀粒子を結合させたものである。
【００４０】
従ってこの実施例１のモップ１によれば、コード糸２、２…で構成された拭き取り部で室内や廊下の床の拭き掃除を行った場合、その汚れと共に細菌等の微生物の除去をも行うことが可能であり、特に病院や老人ホーム等での使用に有用である。また清掃作業後に、それらのコード糸２、２…で構成された拭き取り部を洗浄して次の清掃まで保管する場合にも残留することのある微生物の増殖を防止し、衛生的に保持し、異臭の発生等の虞もない。
【実施例２】
【００４１】
この実施例２は、モップ１１に適用した例であり、図２に示すように、払拭布１２を下端の取付基部１３に所定の取付方で取り付けた一般的なそれであり、払拭布１２を構成する一部の糸にナノ銀を練り込んだものを採用した。なお図中１４は柄である。
【００４２】
払拭布１２を構成する一部の糸に練り込んだナノ銀は、実施例１のそれと同様に、シリカに硫黄と銀とを化合させた錯化合物を用いた。
【００４３】
従ってこの実施例２のモップ１１によれば、払拭布１２で構成された拭き取り部で室内や廊下の床の拭き掃除を行った場合、実施例１のそれと同様に、その汚れと共に細菌等の微生物の除去をも行うことが可能であり、実施例１と同様に効果を奏することができる。
【実施例３】
【００４４】
この実施例３は、タオル２１に適用した例であり、図３に示すように、払拭用の布で構成した一般的なそれであり、払拭用の布を構成する糸の内の一部のそれにナノ銀を練り込んだものを採用した。
【００４５】
払拭用の布を構成する一部の糸に採用したナノ銀は、実施例１及び２と同様に、シリカに硫黄と銀とを化合させた錯化合物を採用した。
【００４６】
従ってこの実施例３のタオル２１によれば、これを用いて身体の汗を拭き取ったり、入浴後の水分を除去したり、身体に於ける種々の汚れの除去に有用に用いることができる。またこのように用いた場合、その際に、身体に付着していることのある種々の菌類その他の微生物の除去をも同時に行い得られ、身体を衛生的に保持することができる。また使用後にこれを洗浄して保管した場合、微生物類が若干残留することがあってもその増殖を防止することができるので、臭いの発生を抑制することが可能であり、かつ衛生的に保持することができる。
【図面の簡単な説明】
【００４７】
【図１】実施例１のモップの一部切欠正面図。
【図２】実施例２のモップの一部省略概略斜視図。
【図３】実施例３のタオルの概略斜視図。
【符号の説明】
【００４８】
１    モップ
２    コード糸
３    取付基部
４    柄
１１  モップ
１２  払拭布
１３  取付基部
１４  柄
２１  タオル
【図１】
0003115048.tif 000003
【図２】
0003115048.tif 000004
【図３】
0003115048.tif 000005